(57)【要約】【課題】本発明は、二重タッチによるエラー座標値が検出されることを防止すると共に、エラー値を迅速かつ正確に補償できるタッチパネルの駆動方法を提供する。【解決手段】本発明は、一定時間間隔でタッチされた座標値を順次に入力する段階と、前記入力された座標の変化の幅を測定して変化幅が設定値以上であれば、二重タッチとして判断する段階と、前記二重タッチとして判断されると入力された座標値を補償する段階とを含めてなることを特徴とする。【選択図】  図５
2004206681.tif 000002
【特許請求の範囲】
【請求項１】
一定時間間隔でタッチした座標値を順次に入力する段階と、
前記入力された座標の変化の幅を測定して変化幅が設定値以上であれば、二重タッチとして判断する段階と、
前記二重タッチとして判断されると入力された座標値を補償する段階と
を含めてなることを特徴とするタッチパネルの駆動方法。
【請求項２】
前記二重タッチとして判断する段階は、座標の変化幅をＸ軸及びＹ軸方向に各々測定して、Ｘ軸又はＹ軸の変化幅（ΔＸ又はΔＹ）が設定値以上であれば二重タッチとして判断する請求項１に記載のタッチパネルの駆動方法。
【請求項３】
前記座標値を補償する段階は、入力された座標のＸ、Ｙ値で測定した変化幅（ΔＸ又はΔＹ）を減算して補償する請求項１に記載のタッチパネルの駆動方法。
【請求項４】
一定時間おきにタッチした座標値を順次に入力する第１段階と、
前記入力された座標の変化の幅を測定して変化幅が設定値以上であれば、二重タッチとして判断する第２段階と、
前記二重タッチとして判断されると入力された座標値を補償する第３段階と、
前記二重タッチとして判断された座標値を補償した後、入力された座標の変化幅が設定値以下でも入力された座標値を補償する第４段階と
を含めてなることを特徴とするタッチパネルの駆動方法。
【請求項５】
前記第２段階は座標の変化幅をＸ軸及びＹ軸方向に各々測定し、Ｘ軸又はＹ軸の変化幅（ΔＸ又はΔＹ）を設定値と比較する請求項４に記載のタッチパネルの駆動方法。
【請求項６】
前記第３段階及び第４段階で座標値を補償する方法は、入力された座標のＸ、Ｙ値で測定した変化幅（ΔＸ、ΔＹ）を減算して補償する請求項４に記載のタッチパネルの駆動方法において、
一定時間間隔でタッチされた座標値を順次に入力する第１段階と、
前記入力した座標の変化の幅を測定して変化幅が設定値以上であれば、二重タッチとして判断する第２段階と、
前記二重タッチとして判断されると入力された座標値を補償する第３段階と、
前記二重タッチとして判断されて座標値を補償した後、入力された座標の変化幅が設定値以下でも入力された座標値を補償する第４段階と
を含めてなることを特徴とする請求項４に記載のタッチパネルの駆動方法。
【請求項７】
一定時間間隔でタッチされた座標値を順次に入力する第１段階と、
前記入力した座標の変化の幅を測定して変化幅が設定値以上であるか否かを判断する第２段階と、
前記第２段階で変化幅が設定値以上であれば、それ以前に座標値を補償したか否かを判断する第３段階と、
前記第３段階でそれ以前に座標値の補償がされていなかったら二重タッチとして判断して入力された座標値を補償する第４段階と、
前記第３段階でそれ以前に座標値の補償がされていたら二重タッチの解除として判断して入力された座標値を実際座標値で認識する第５段階と、
を含めてなることを特徴とするタッチパネルの駆動方法。
【請求項８】
前記第２段階で変化幅が設定値以下であれば、それ以前に座標値を補償したか否かを判断して、座標値の補償がされていたら入力された座標値を補償する第６段階と、
前記第２段階で変化幅が設定値以下であれば、それ以前に座標値を補償したか否かを判断して、座標値の補償がされていなかったら入力された座標値を実際座標値に認識する第７段階と、
を含めてなる請求項７に記載のタッチパネルの駆動方法。
【請求項９】
第４段階で前記座標の変化幅を貯蔵する段階を備えることを特徴とする請求項８に記載のタッチパネルの駆動方法。
【請求項１０】
前記第６段階において座標値を補償する方法は入力された座標のＸ、Ｙ値で前記貯蔵された変化幅（ΔＸ、ΔＹ）を減算して補償することを特徴とする請求項９に記載のタッチパネルの駆動方法。
【請求項１１】
前記第２段階は座標の変化幅をＸ軸及びＹ軸方向に各々測定してＸ軸又はＹ軸の変化幅（ΔＸ又はΔＹ）を設定値と比較することを特徴とする請求項７に記載のタッチパネルの駆動方法。
【請求項１２】
前記第４段階で座標値を補償する方法は、入力された座標のＸ、Ｙ値で測定した変化幅(ΔＸ又はΔＹ）を減算して補償することを特徴とする請求項７に記載のタッチパネルの駆動方法。
【発明の詳細な説明】
【技術分野】
【０００１】
本発明は、タッチパネルに関するもので、特に、ペンと手が二重にタッチしてエラー座標値が検出されることを防止するためのタッチパネルの駆動方法に関するものである。
【背景技術】
【０００２】
一般に、各種電子機器を効率的に用いるために、リモコンや別途の入力装置を有することなく、表示装置の表示面で信号を入力するためのタッチパネルが広く用いられている。即ち、電子手帳と、液晶表示装置ＬＣＤ（Ｌｉｑｕｉｄ  Ｃｒｙｓｔａｌ  Ｄｉｓｐｌａｙ  Ｄｅｖｉｃｅ）、ＥＬ（Ｅｌｅｃｔｒｏｌｕｍｉｎｅｓｃｅｎｓｅ）などの平板ディスプレイ装置及びＣＲＴ（Ｃａｔｈｏｄｅ  Ｒａｙ  Ｔｕｂｅ）などの画像表示装置の表示面にタッチパネルが設けられる。従って、前記タッチパネルはユーザーが画像表示装置の画面上でペン又はハンドで表面を加圧すると、その位置に対応する情報が入力されるようにする。
【０００３】
このようなタッチパネルはタッチを感知する方法によって、抵抗膜方式と、静電容量方式と、電気磁場型（Ｅｌｅｃｔｒｏ-ｍａｇｎｅｔｉｃ（ＥＭ）  ｔｙｐｅ）とに区分できる。
【０００４】
先ず、前記パネルのうちで、抵抗膜方式のタッチパネルの基本構造は、上部電極が形成された上部透明基板と、下部電極が形成された下部透明基板とが一定空間を有して積層されている。従って、上部電極が形成されている上部基板にペン又はハンドのような所定の入力手段でいずれか一箇所を接触すると、上部基板に形成された上部電極と下部基板に形成された下部電極とが互いに通電し、その位置の抵抗値によって変化した電圧値を読み込んだ後、制御装置で電位差の変化による位置座標を見出す装置である。
【０００５】
また、前記のようなタッチパネルのうちで、静電容量方式のタッチパネルの基本構造は、透明電極が形成されたフィルムを液晶パネル上に設け、前記透明電極に均一な電場が生成されるように、前記フィルムの各角またはコーナに電圧を印加してハンド又は導電性のペンが接触すると、電圧ドロップが発生するようにして位置座標を見出す装置である。
【０００６】
このような関連技術のタッチパネル装置を添付した図面を参照して詳しく説明する。
図１は関連技術の抵抗膜方式のタッチパネル装置を示す説明図である。
関連技術のタッチパネル装置は、図１に示すように、タッチ地点の座標信号を出力するタッチパネル１０と、前記タッチパネル１０の駆動を制御し、タッチパネル１０からの座標信号による座標値を検出してシステム４０に出力するタッチパネルコントローラ３０と、タッチパネルコントローラ３０からの座標値に応じて該当命令を行うためのシステム４０を備えて構成される。
【０００７】
前記タッチパネル１０は上部フィルム１２と下部フィルム１６を備え、向かい合う面の前記上部フィルム１２に第１透明導電層１４が設けられ、向かい合う面の下部フィルム１６に第２透明導電層１８が設けられ、前記上部フィルム１２と下部フィルム１６は一定間隔隔てて配置される。
【０００８】
前記上部フィルム１２と下部フィルム１６とは非タッチ領域の外側から接着剤２２により貼り合わせ、前記接着剤２２の高さだけ離隔させる。また、タッチ領域において上部フィルム１２と下部フィルム１６との離隔のために多数のドットスペーサなど２０が上部フィルム１２の第1透明導電層１４又は下部フィルム１６の第２透明導電層１８上に更に形成される。
【０００９】
ペン又はハンドによって押される上部フィルム１２としては、ポリエチレンテレフタレート（ＰＥＴ）などの透明フィルムが主に用いられ、下部フィルム１６としては、上部フィルム１２と同質の透明フィルム、ガラス基板、又はプラスチック基板が用いられる。前記上部フィルム１２及び下部フィルム１６に形成された第１透明導電層１４及び第２透明導電層１８としてはＩＴＯ（インジウム−スズ酸化物）、ＩＺＯ（インジウム-亜鉛酸化物）、ＩＴＺＯ（インジウム−スズ-亜鉛酸化物）のうち、いずれか一つが用いられる。
【００１０】
また、前記タッチパネル１０は第１透明導電層１４でＸ軸方向に電圧を印加するために前記第１透明導電層１４の両側部に接続されるＸ電極バー１５と、第２透明導電層１８でＹ軸方向に電圧を印加するために前記第２導電層１８の両側部と接続するＹ電極バー１９とを備える。前記Ｘ電極バー１５は第１透明導電層１４にＸ軸方向に電流が流れるようにするために駆動電圧（Ｖｃｃ）を供給する第１Ｘ電極バー１５Ａと、基底電圧（ＧＮＤ）を供給する第２Ｘ電極バー１５Ｂとからなる。
前記Ｙ電極バー１９は第２透明導電層１６でＹ軸方向に電流が流れるようにするために駆動電圧を供給する第１Ｙ電極バー１９Ａと基底電圧（ＧＮＤ）を供給する第２Ｙ電圧バー１９Ｂとからなる。
【００１１】
かかるタッチパネル１０はペン又はハンドが上部フィルム１２を押して第１透明導電層１４が第２透明導電層１８と接触すると、その接触位置によって前記第１透明導電層と第２透明導電層の面抵抗によって抵抗値が可変される。また、可変された抵抗値によって電流又は電圧が違ってくるので、その変化する電流又は電圧をタッチパネル１０は第２透明導電層１８に接続された第１Ｙ電極バー又は第２Ｙ電極バー（１９Ａ又は１９Ｂ）を介してＸ軸座標信号に出力し、第１透明導電層１４に接続された第１Ｘ電極バー又は第２Ｘ電極バー（１５Ａ又は１５Ｂ）を介してＹ軸の座標信号を出力する。この場合、タッチパネル１０はタッチパネルのコントローラ３０の制御によってＸ軸座標信号とＹ軸座標信号を順次に出力する。
【００１２】
具体的に、前記タッチパネル１０は、第１スイッチ２４を介してＸ電極バー１５に駆動電圧（Ｖｃｃ）及び基底電圧（ＧＮＤ）が供給されると、第１透明導電層、及び第２透明導電層（１４，１８）が接触した地点によって可変する抵抗値に応じて第２Ｙ電極バー１９Ｂ及び第２スイッチ２６を介してＸ軸座標信号を出力する。次に前記タッチパネル１０は第１スイッチ２４及び第２スイッチ２６を介してＹ電極バー１９に駆動電圧及び基底電圧が供給されると、第１透明導電層及び第２透明導電層１８が接触した地点によって可変する抵抗値に応じて第２Ｘ電圧極バー１５Ｂを介してＹ軸座標信号を出力する。
【００１３】
ここで、前記第１スイッチ２４はタッチパネルコントローラ３０からの制御信号に応じて駆動電圧を第１Ｘ電極バー１５Ａ又は第１Ｙ電極バー１９Ａに供給する。前記第２スイッチ２６はタッチパネルコントローラ３０からの制御信号に応じて基底電圧を第２Ｘ電極バー１５Ｂ又は第２Ｙ電極バー１９Ｂに供給するか、タッチした位置の電圧を出力する。
前記タッチパネルコントローラ３０はタッチパネル１０から出力されるタッチ地点のＸ軸及びＹ軸座標信号による座標値を検出してシステムに供給する。また、前記タッチパネルコントローラ３０はＸ軸座標モード及びＹ軸座標モードによって第１スイッチ２４及び第２スイッチ２６を制御してタッチパネル１０への電源供給を制御する。
【００１４】
このためにタッチパネルコントローラー３０はタッチパネル１０からのＸ軸座標信号及びＹ軸座標信号をデジタルデータに変換するためのアナログ−デジタルコンバータ（以下、ＡＤＣと称する）３２と、ＡＤＣ３２からのＸ軸座標データ及びＹ軸座標データの組合せで座標値を検出してシステム４０に出力するマイコム３４と、マイコムからの座標値を中継してシステム４０に供給するインタフェース部３６を備える。
【００１５】
前記ＡＤＣ３２はタッチパネル１０から順次に供給されるＸ軸座標信号及びＹ軸座標信号各々をデジタルデータに変換して出力する。
前記マイコム３４はＡＤＣ３２から順次に供給されるＸ軸座標データ及びＹ軸座標データを組合わせてタッチパネル１０の接触地点の座標値を検出し、検出した座標値をインタフェース部３６を介してシステム４０に供給する。また、マイコム４は一定周期ごとに制御信号を発生し、第１スイッチ２４は駆動電圧を第１Ｘ電極バー１５Ａ又は第１Ｙ電極バー１９Ａに供給し、第２スイッチ２６は基底電圧（ＧＮＤ）を第２Ｘ電極バー１５Ｂ又は第２Ｙ電極バー１９Ｂに供給しタッチによる電圧を出力する。
【００１６】
前記システム４０は前記タッチパネルコントローラ３０から供給された座標値を感知してその座標値に該当する命令を実行するか、これに関する応用プログラムを実行する。また、システム４０はタッチパネル１０が表面に装着されるディスプレイに、必要とされる電源信号とビデオ信号を供給する。
【００１７】
このように関連技術のタッチパネル装置は、ペン又はハンドによって押された座標値を検出してシステムに伝送することで、システム４０においてその座標値に該当する命令を行う。
しかしながら、上述したようなタッチパネル１０ではユーザーの不注意によってペンとハンドとが同時に上部フィルム１２をタッチして、二重タッチが発生することがある。
【００１８】
図２はタッチパネルにおけるペンとハンドとが同時にタッチした二重タッチ現象を示した断面図である。
例えば、ペンを用いたタッチパネル装置の場合、図２に示すように、ペンと共にユーザーの手のひらがタッチパネル１０を加圧し得る。この場合、前記タッチパネル１０には二重タッチ、即ち、ペンタッチ点（ＰＴ）と、ハンドタッチ点（ＨＴ）とが発生する。
この場合、ペンタッチ点（ＰＴ）とハンドタッチ点とは同時に発生するか所定の時間差を置き発生する。
【００１９】
ここで、ペンタッチ点と、ハンドタッチ点とが同時に発生する場合、タッチパネル１０は両地点（ＰＴ，ＨＴ）間の中間地点に対する座標信号を発生するのでタッチパネルコントローラ３０及びシステム４０はその中間地点をペンタッチ点として認識するエラーを発する。
【００２０】
また、ペンタッチ点が発生した後、ペンがタッチされた状態のままハンドタッチ点が発生する場合、タッチパネル１０はペンタッチ点に対する第１座標信号を発生させた後、次にペンタッチ点とハンドタッチ点と間の中間地点に対する第２座標信号を発生させる。かかる第１座標信号及び第２座標信号がタッチパネルコントローラ３０で座標値を検出する単位時間、例えば、３．４ｍｓ以内に発生する場合、タッチパネルコントローラ３０は後に入力された第２座標信号に対する座標値を検出してシステム４０に供給するので、システム４０はその中間地点をペンタッチ点として認識するエラーを起こす。
【発明の開示】
【発明が解決しようとする課題】
【００２１】
本発明は、上記関連技術の問題点を解決するためになされたもので、二重タッチを区別してエラー座標値が検出されることを防止すると共に、エラー値を迅速、かつ正確に補償できるタッチパネルの駆動方法を提供することを目的とする。
【課題を解決するための手段】
【００２２】
上記目的を達成するために、本発明のタッチパネルの駆動方法は、一定時間間隔でタッチした座標値を順次に入力する段階と、前記入力された座標の変化の幅を測定して変化幅が設定値以上であれば、二重タッチとして判断する段階と、前記二重タッチとして判断されると入力された座標値を補償する段階とを含めてなることを特徴とする。
【００２３】
ここで、前記二重タッチとして判断する段階では、座標の変化幅をＸ軸及びＹ軸方向で各々測定して、Ｘ軸又はＹ軸の変化幅（ΔＸ又はΔＹ）が設定値以上であれば二重タッチとして判断することが望ましい。
【００２４】
前記座標値を補償する段階は、入力された座標のＸ、Ｙ値から測定した変化幅（ΔＸ又はΔＹ）を減算して補償することが望ましい。
【００２５】
前記目的を達成するための本発明によるタッチパネルの駆動方法は、一定時間をおいてタッチした座標値を順次に入力する第１段階と、前記入力された座標の変化の幅を測定して変化幅が設定値以上であれば、二重タッチとして判断する第２段階と、前記二重タッチとして判断されると入力された座標値を補償する第３段階と、前記二重タッチとして判断されて座標値を補償した後、入力された座標の変化幅が設定値以下でも入力された座標値を補償する第４段階とを含めてなることを特徴とする。
【００２６】
前記目的を達成するための本発明によるタッチパネルの駆動方法は、一定時間を隔ててタッチされた座標値を順次に入力する第１段階と、前記入力した座標の変化の幅を測定して変化幅が設定値以上であるかを判断する第２段階と、前記第２段階で変化幅が設定値以上であれば、それ以前に座標値を補償したかを判断する第３段階と、前記第３段階でそれ以前に座標値の補償がされていなかったら二重タッチとして判断して入力された座標値を補償する第４段階と、前記第３段階でそれ以前に座標値の補償がされていたら二重タッチの解除として判断し、入力された座標値を実際座標値で認識する第５段階とを含めてなることを特徴とする。
【００２７】
前記第２段階で変化幅が設定値以下であれば、それ以前に座標値を補償したか否かを判断して座標値の補償がされていたら、入力された座標値を補償する第６段階と、前記第２段階で変化幅が設定値以下であれば、それ以前に座標値を補償したか否かを判断して座標値の補償がされていなかったら入力された座標値を実際座標値に認識する第７段階とを含めることが望ましい。
【発明の効果】
【００２８】
以上説明したように、本発明のタッチパネルの駆動方法によると、次のような効果がある。
第一に、ペンタッチとハンドによるハンドタッチが同時に成される二重タッチを判断し、二重タッチとして判断されると、座標値を補償することによって迅速、かつ正確な真偽座標値を検出することができる。
第二に、二重タッチが進行し続けてエラー座標値が出力されても、これを追跡して真偽座標値をディスプレイするので、線などを描く場合にもペンがタッチした位置に沿って正確な図形をディスプレイすることができる。
【００２９】
第三に、二重タッチ後、正常にペンだけによってタッチされる場合にも、これを認識することができるので二重タッチ後、正常タッチの場合にも正確な位置の座標をディスプレイすることができる。
【発明を実施するための最良の形態】
【００３０】
以下、添付の図面を参照して本発明を更に詳細に説明する。
先ず、本出願人は二重タッチによるエラー発生のためのタッチパネル及びその駆動方法を既に出願したことがある（韓国特許出願２００２−０７０７７１参照）
【００３１】
図３は本発明の実施態様による二重タッチを防止するためのタッチパネル装置を示したものである。
本発明によるタッチパネル装置は、図３に示すように、タッチ地点の座標信号を出力するタッチパネル５０と、タッチパネル５０の駆動を制御し、タッチパネル５０からの座標信号による座標値を検出してシステムに出力するタッチパネルコントローラ７０と、タッチパネルコントローラ７０からの座標値に応じて該当命令を行うためのシステム８０を備える。
【００３２】
前記タッチパネル５０は向かい合う面に各々第１透明導電層５４が形成された上部フィルム５２と、第２透明導電層５８が形成された下部フィルム５６とを備え、前記上部フィルム５２と下部フィルム５６とは一定間隔を隔てて貼り合わせられる。
【００３３】
前記上部フィルム５２と下部フィルム５６とは非タッチ領域の外側で接着剤６２により接合され、前記接着剤６２の高さだけ離れる。また、タッチ領域で上部フィルム５２と下部フィルム６６との離隔のために多数のドットスペーサなど６０が上部フィルム５２の第１透明導電層５４、又は下部フィルム５６の第２透明導電層５８上に更に形成される。
【００３４】
ペン又はハンドによって押される上部フィルム５２としては、ポリエチレンテレフタレート（ＰＥＴ）などの透明フィルムが主に用いられ、下部フィルム５６としては、上部フィルム５２と同質の透明フィルム、ガラス基板、又はプラスチック基板が用いられる。前記第１、透明導電層５４及び第２透明導電層５８としては、ＩＴＯ、ＩＺＯ、ＩＴＺＯのうち、いずれか一つが用いられる。
【００３５】
また、前記タッチパネル５０は第１透明導電層５４でＸ軸方向に電圧を印加するために前記第１透明導電層１４の両側部に接続されるＸ電極バー５５と、第２透明導電層５８でＹ軸方向に電圧を印加するために前記第２導電層５８の両側部と接続するＹ電極バー５９とを更に備える。前記Ｘ電極バー５５は第１透明導電層５４にＸ軸方向に電流が流れるようにするために駆動電圧（Ｖｃｃ）を供給する第１Ｘ電極バー５５Ａと、基底電圧（ＧＮＤ）を供給する第２Ｘ−電極バー５５Ｂとからなる。
前記Ｙ−電極バー５９は第２透明導電層５６でＹ軸方向に電流が流れるようにするために駆動電圧を供給する第１Ｙ電極バー５９Ａと基底電圧（ＧＮＤ）を供給する第２Ｙ電極バー５９Ｂとからなる。
【００３６】
かかるタッチパネル５０はペン又はハンドが上部フィルム５２を押して第１透明導電層５４が第２透明導電層５８と接触すると、その接触位置によって前記透明電層の面抵抗が異なるので抵抗値が可変される。
また、可変された抵抗値によって電流又は電圧が違ってくるので、その変化する電流又は電圧を、タッチパネル５０は第１透明導電層５４で電圧が印加される時に、第２Ｙ電極バー５９Ｂを介してＸ軸座標信号を出力し、第２透明導電層５８で電圧が印加される時に、第２Ｘ電極バー５５Ｂを介してＹ軸座標信号を出力する。この場合、前記タッチパネル５０はタッチパネルコントローラ７０の制御によってＸ軸座標信号とＹ軸座標信号を順次に出力する。
【００３７】
具体的に、前記タッチパネル５０は第１スイッチ６４及び第２スイッチ６６を介して、Ｘ電極バー５５に駆動電圧（Ｖｃｃ）及び基底電圧（ＧＮＤ）が供給されると、第１透明導電層、第２透明導電層（５４，５８）が接触した地点によって可変する抵抗値に応じて第２Ｙ電極バー５９Ｂを介してＸ軸座標信号を出力する。
次に前記タッチパネル５０は、第１スイッチ６４及び第２スイッチ６６を介してＹ電極バー５９に駆動電圧及び基底電圧が供給されると、第１及び第２透明導電層５４，５８が接触した地点によって可変する抵抗値に応じて第２Ｘ電極バー５５Ｂを介してＹ軸座標信号を出力する。
【００３８】
ここで、前記第１スイッチ６４はタッチパネルコントローラー７０からの制御信号に応じて、駆動電圧を第１Ｘ電極バー５５Ａ又は第１Ｙ電極バー５９Ａに供給する。前記第２スイッチ６６はタッチパネルコントローラー７０からの制御信号に応じて基底電圧を第２Ｘ電極バー５５Ｂ又は第２Ｙ電極バー５９Ｂに供給するか、出力電圧を出力する。
【００３９】
前記タッチパネルコントローラー７０はタッチパネル５０から供給されるタッチ地点のＸ軸及びＹ軸座標信号による座標値を検出してシステムに供給する。また、前記タッチパネルコントローラ７０は第１スイッチ６４及び第２スイッチ６６を制御してタッチパネル５０への電源（Ｖｃｃ、ＧＮＤ）供給を制御する。
【００４０】
このためにタッチパネルコントローラ７０はタッチパネル５０からのＸ軸座標信号及びＹ軸座標信号をデジタルデータに変換するためのアナログ−デジタルコンバータ（以下、ＡＤＣと称する）７２と、ＡＤＣ７２でのＸ軸座標データ及びＹ軸座標データの組合せで座標値を検出してシステム８０に出力するマイコム７４と、マイコムからの座標値を中継してシステム８０に供給するインタフェース部７６を備える。
ＡＤＣ７２はタッチパネル５０から順次に供給されるＸ軸座標信号及びＹ軸座標信号各々をデジタルデータに変換して出力する。
【００４１】
前記マイコム７４は一定時間の単位で制御信号を発生させて、第１スイッチ６４が駆動電圧（Ｖｃｃ）を発生させて、駆動電圧を第１Ｘ電極バー５５Ａ又は第１Ｙ電極バー５９Ａに供給するようにし、第２スイッチ６６が基底電圧を第２Ｘ電極バー５５Ｂ又は第２Ｙ電極バー５９Ｂに供給するようにする。これによって前記マイコム７４はＡＤＣ７２から順次に供給されるＸ軸座標データ及びＹ軸座標データを組合わせてタッチパネル５０のタッチ地点の座標値を検出し、検出した座標値をインタフェース部７６を介してシステム８０に供給する。
この時、マイコム７４又はシステム８０において、ペンとハンドが同時にタッチしたり、一定時間以内に全てタッチした場合を判断してソフトウェア的に二重タッチによるエラーを防止し、その時の座標値を補償する。
【００４２】
これをより具体的に説明すると次の通りである。
図４は図３に示したシステムをより詳しく説明する詳細ブロック構成図である。
前記システム８０は、図４に示すように、前記タッチパネルコントローラ７０から伝送される二重タッチによるエラー座標値を処理速度の速い中央処理装置ＣＰＵ、１１８を用いて補償し、ペンタッチ点に対する正確な真偽座標値を検出することになる。また、システム８０はタッチパネル５０が表面に装着されるディスプレイに必要とされる電源信号とビデオデータを供給する。
このために、前記システム８０は中央処理装置１１８及び二重タッチによるエラー座標値を補償するためのタッチパネルドライバー８２を備える。
【００４３】
前記タッチパネルドライバー８２はタッチパネルコントローラー７０から伝送されるデジタル座標値を受信する座標受信部１１０と、前記座標受信部１１０で受信したデジタル座標値を、表示画面の解像度に対応する通信プロトコルに合うように再設定する座標演算部１１２と、前記座標演算部１１２で再設定された座標値の変化幅を計算し、計算された座標変化値が一定値以上であれば、二重タッチとして判断し、前記座標演算部１１２によって再設定されたデジタル座標値を補償して真偽座標値を生成するハンドリジェクション処理部１１４及びハンドリジェクション処理部１１４によって補償された真偽座標値をディスプレイに表示する座標表示部１１６を備える。
【００４４】
前記座標演算部１１２は前記座標受信部１１０に受信されたデジタル座標値をディスプレイ解像度の通信プロトコルに合うように再設定して前記ハンドリジェクション処理部１１４に供給する。
前記ハンドリジェクション処理部１１４は、前記座標演算部１１２で受信した座標値の変化幅を計算し、計算された座標変化幅が一定値以上であれば、二重タッチとして判断し入力された座標値を実際ディスプレイに表示する形態に補正する。この時、前記ハンドリジェクション処理部１１４は処理速度が速い中央処理装置１１８を用いて二重タッチにより発生したエラー座標値を補正する。
【００４５】
このために、ハンドリジェクション処理部１１４は座標演算部１１２から供給される再設定した座標値を貯蔵するメモリー１２２及びメモリー１２２に貯蔵された座標値と座標演算部１１２から供給される新しい座標値を用いて座標変化幅を計算し、計算した変化幅が一定値以上であれば、二重タッチによるエラー座標値として判断して真偽座標を発生させる補償部１２４を備える。
メモリー１２２はタッチパネルコントローラ７０によって検出されたタッチパネル５０の座標値を順次に貯蔵する。
【００４６】
このように構成した本発明のタッチパネル装置の駆動方法を説明すると次の通りである。
図５は、本発明によるタッチパネルの駆動方法を示した動作順序図であり、図６は、本発明によるタッチパネルにペンで線を描くとき二重タッチによるエラー発生を示した説明図である。
【００４７】
前記タッチパネルコントローラ７０のマイコム７４は一定時間（３．４ｍｓ）間隔で前記第１スイッチング部４０、第２スイッチング部６６を制御してＡＤＣ３２を介してデジタル値に変換したＸ，Ｙ位置の座標値を出力する（１Ｓ）。
従って、前記システム８０は初期化（Ｎ＝０）された状態で（１Ｓ）前記タッチパネルコントローラ７０から出力された座標値を入力する（２Ｓ）。また、入力された座標値を比較して座標値の変化幅を計算する（３Ｓ）。
【００４８】
即ち、前記ハンドリジェクション処理部１１４が前記座標演算部１１２でディスプレイ解像度（ＸＧＡ、ＳＶＧＡなど）の通信プロトコルに合うように再設定した座標値を比較して、連続する二つの座標変化幅を計算する。また、計算された変化幅はＸ軸方向とＹ軸方向の各々の変化幅（ΔＸｎ、ΔＹｎ）を計算する。また、計算されたＸ軸又はＹ軸方向の座標変化幅が一定値（Ｋ）以上であるかを判断して（４Ｓ）、一定値未満であれば正常に測定した座標値として認識し（５Ｓ）、一定値以上であれば二重タッチとして判断する（６Ｓ）。この時、二重タッチが進行し続ける場合に備えて初期値（Ｎ＝０）であるかを判断し、初期状態であれば（１０Ｓ）二重タッチとして判断する。
【００４９】
即ち、前記したように、前記マイコムは約３．４ｍｓ間隔で第１スイッチング部、第２スイッチング部（６４，６６）をスイッチングするので最小限３．４ｍｓごとにタッチパネル３０では座標値が出力される。この時、二重タッチではなく、正常に座標が出力される場合には前記３．４ｍｓ間隔ごとにＸ軸又はＹ軸方向に出力された座標値は各々前記設定値（Ｋ）から外れない。ここで、設定値Ｋは表示装置の解像度（ＸＧＡ、ＳＶＧＡなど）の通信プロトコルに合うように再設定した座標値の単位であるので、距離で示されるものではなく解像度による値である。
勿論、高速で線を描く場合にはその範囲を外れることもあるが、タッチパネルにおいては設定値Ｋの範囲内である。
【００５０】
図６においてペンでタッチパネル上に線を描いていると仮定する。ペンタッチ点（ＰＴ）（座標１０，１８）にある時、手がハンドタッチ点（ＨＴ）（座標２０，１４）をタッチしたら、この時前記タッチパネル３０は前記ペンタッチ点（ＰＴ）の座標（１０，１８）とハンドタッチ点の座標２０，１４の中間地点に当たる座標（１５，１６）を次の座標値（エラー座標値）に出力するだろう。このようにハンドがタッチされた状態で継続ペンが移動してもペンが移動する区間を表示装置が表示するのではなく、前記ペンタッチ点とハンドタッチ点の中間地点に当たる座標を表示するだろう。
【００５１】
従って、前記設定値（Ｋ、絶対値）を‘５’と仮定し、前記ペンタッチ点（ＰＴ）の座標を第１座標値とし、ハンドタッチ点（ＨＴ）によるエラーの座標値を第２座標値として、第１座標値と第２座標値の変化幅とを計算する。先ず、Ｘ軸方向に計算すると、１５−１０＝５となり、Ｙ軸方向に計算すると、１６−１８＝−２となる。つまり、Ｘ軸方向の変化幅（ΔＸ）が５であり、Ｙ軸方向の変化幅（ΔＹ）が-２で、Ｘ軸方向の変化幅が設定値以上であるので二重タッチによるエラーの座標値として認識される。
【００５２】
従って、１座標値と第２座標値とから二重タッチとして判断されると、第２座標値(１５、１６)に各々Ｘ軸及びＹ軸方向の変化幅を減算して真座標値として補償する。即ち、Ｘ軸は１５−５＝１０、Ｙ軸は１６＋２＝１８に演算して真座標値１０，１８を補償する。この時前記補償した変化値（ΔＸ、ΔＹ）を貯蔵する（１４Ｓ）。
【００５３】
このように座標変化幅が設定値（Ｋ）であれば、二重タッチによるエラーの座標値として判断し、座標値を補償して（７Ｓ）補償された真座標値（７Ｓ）をディスプレイする（８Ｓ）。この時、二重タッチによって座標値が補償されたことを示すために初期値（Ｎ）をＮ＝１に変換させる（１１Ｓ）。
【００５４】
尚、ハンドタッチが一定地点で継続して行われ、ペンのタッチ点が移動し続ける場合には、その次の座標値の変化幅が設定値以下になるのでエラー座標が継続認識されてディスプレイされるだろう。
即ち、図６に示すように、二重タッチによってタッチパネル３０で第３座標値が（１５．５、１７）で出力される場合には、第２座標値と第３座標値の変化幅(ΔＸｎ、ΔＹｎ)が設定値以下となる。しかしながら、このような場合にも座標値は補償され続けることによって、実際ペンが動いた距離をディスプレイできる。従って、その前に座標値の補償があったか否かを判断するためにＮ＝１であるかを判断し（１２Ｓ）、判断の結果座標値の補償があったら（Ｎ＝１）、第３座標値も貯蔵された変化幅（ΔＸ、ΔＹ）を用いて補償する（１３Ｓ）。
【００５５】
即ち、第３座標値が（１５．５，１７）であるので１５．５−５＝１０．５、Ｙ軸は１７＋２＝１９に補償して真座標値１０．５，１９を出力し、これをディスプレイする。
このような過程を繰り返して真座標値を出力する過程からハンドタッチが解除されると、再度座標の変化幅が設定値以上となる。即ち、座標値を継続補償している状態（Ｎ＝１）で座標の変化幅が設定値以上になると（４Ｓ）、二重タッチが解除されたものとして判断され（１５Ｓ）、二重タッチが解除されたことを示すようにＮ値をＮ＝０に置換し（１６Ｓ）、この時入力された座標値を実際座標値として認識して（５Ｓ）これをディスプレイする（８Ｓ）。
【００５６】
このように、本発明によるタッチパネル装置はペンタッチとハンドタッチが一定時間内に成されて二重タッチになる場合は、これに合わせて座標値を補償することでペンタッチに対する正確な真座標値を認識することができる。
【００５７】
以上本発明の好適な一実施態様について説明したが、前記実施態様に限定されず、本発明の技術思想に基づいて種々の変形が可能である。
【図面の簡単な説明】
【００５８】
【図１】関連技術のタッチパネル装置を示す図である。
【図２】タッチパネルにおける二重タッチ現象を示す図である。
【図３】本発明の実施態様によるタッチパネル装置を示す図である。
【図４】図３に示したシステムをより詳しく示すブロック構成図である。
【図５】本発明によるタッチパネルの駆動方法を示す動作順序図である。
【図６】本発明によるタッチパネルにペンで線を描くとき二重タッチによるエラー発生を示す説明図である。
【符号の説明】
【００５９】
１０．５０  タッチパネル
１２、５２  上部フィルム
１４，５４  第１透明導電膜
１６，５６  下部基板
１８，５８  第２透明導電幕
２０、６０  ドットスペーサ
２４，２６，６４，６６  スイッチ
３０，７０  タッチパネルコントローラ
３２，７２  アナログ  デジタルコンバータ（ＡＤＣ）
３４，７４  マイコム
３６，７６  インタフェース部
４０，８０  システム
１５，５５  Ｘ電極バー
１５Ａ、５５Ａ  第１Ｘ電極バー
１５Ｂ、５５Ｂ  第２Ｘ電極バー
１９、５９  Ｙ電極バー
１９Ａ，５９Ａ  第１Ｙ電極バー
１９Ｂ、５９Ｂ  第２Ｙ電極バー
１１０  座標受信部
１１２  座標演算部
１１４  ハンドリジェクション処理部
１１６  座標表示部
１１８  中央処理装置
１２２  メモリ
１２４  補償部
【図１】
2004206681.tif 000003
【図２】
2004206681.tif 000004
【図３】
2004206681.tif 000005
【図４】
2004206681.tif 000006
【図５】
2004206681.tif 000007
【図６】
2004206681.tif 000008